(57)【要約】【課題】冷却ファンから発生する騒音は、一定で過大なものとなっている。【解決手段】加熱コイル１１と、前記加熱コイルに高周波電流を供給するインバータ回路１２と、冷却ファン１３と、前記冷却ファンの回転数を変更するファン回転数変更スイッチ１５と、前記冷却ファンの回転数と前記インバータ回路の出力を制御する制御装置１６とを備え、前記制御装置１６は、前記ファン回転数変更スイッチ１５の入力信号に応じて前記冷却ファン１３の回転数を低減するとともに前記インバータ回路１２の最大出力を低減することにより、機器の信頼性を損なうことなく低騒音化を図ることができるという効果が得られる。【選択図】　図１
2004111088.tif 000002
【特許請求の範囲】
【請求項１】
加熱コイルと、前記加熱コイルに高周波電流を供給するインバータ回路と、前記インバータ回路を冷却する冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を低減するとともに前記インバータ回路の最大出力を低減する誘導加熱調理器。
【請求項２】
加熱コイルと、前記加熱コイルに高周波電流を供給するインバータ回路と、前記インバータ回路の出力をＮ段階に設定する出力設定スイッチと、前記インバータ回路を冷却する冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を低減するとともに前記出力設定スイッチで設定できる最大レベルを低減する誘導加熱調理器。
【請求項３】
加熱コイルと、前記加熱コイルに高周波電流を供給するインバータ回路と、冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を所定時間低減する誘導加熱調理器。
【請求項４】
報知手段を備え、前記報知手段は、ファン回転数変更スイッチによる制御装置の動作を報知する請求項１〜３のいずれか１項に記載の誘導加熱調理器。
【請求項５】
ファン回転数変更スイッチの設定状態を記憶する記憶手段を備えた請求項１〜４のいずれか１項に記載の誘導加熱調理器。
【請求項６】
インバータ回路の温度を検知する温度検知手段を備え、制御装置は、前記温度検知手段により検知された温度が所定温度以下で冷却ファンの回転数を低減する請求項１〜５のいずれか１項に記載の誘導加熱調理器。
【請求項７】
制御装置は、温度検知手段により検知された温度に応じて冷却ファンの回転数の低減レベルを変更する請求項１〜６のいずれか１項に記載の誘導加熱調理器。
【発明の詳細な説明】
【０００１】
【発明の属する技術分野】
本発明は、一般家庭において使用される誘導加熱調理器に関するものである。
【０００２】
【従来の技術】
図面５により従来の誘導加熱調理器の構成を説明する。５１は図示しない鍋に高周波磁界を与えるための加熱コイル、５２は加熱コイル５１に高周波電流を供給するためのインバータ回路、５３はインバータ回路５２等の発熱部を空冷するための冷却ファン、５４は機器の操作を行う操作部、および５５は機器の動作を制御する制御装置である。
【０００３】
以上の構成において動作を説明する。使用者が操作部５４を操作すると、制御装置５５は動作を開始する。インバータ回路５２は加熱コイル５１に高周波電流の供給を開始し、同時に冷却ファン５３は一定の速度で回転して発熱部の冷却を行う。加熱コイル５１はインバータ回路５２からの供給を受けて高周波磁界を発生する。この高周波磁界は図示しない鍋と鎖交し、鍋には高周波の渦電流が発生する。従って鍋はそのジュール熱によって加熱し、使用者は調理を行うことができるものである。
【０００４】
【特許文献１】
特開２００１−１９６１５３号公報
【０００５】
【発明が解決しようとする課題】
従来の技術においては前記したように、冷却ファン５３は、インバータ回路５２の出力が最大の場合においても加熱コイル５１およびインバータ回路５２等の発熱部の温度が耐熱温度に達しないように一定条件で冷却しているため、冷却ファン５３から発生する騒音は、一定で過大なものとなっている。
【０００６】
本発明はこのような従来の技術が有している課題を解決しようとするものであって、冷却ファン５３の回転数を低減することにより、冷却ファン５３から発生する騒音を低減できる誘導加熱調理器を提供することを目的としている。
【０００７】
【課題を解決するための手段】
この課題を解決するために本発明は、加熱コイルと、前記加熱コイルに高周波電流を供給するインバータ回路と、冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を低減するとともに前記インバータ回路の最大出力を低減する誘導加熱調理器とするものである。これにより、機器の信頼性を損なうことなく低騒音化を図ることができるという効果が得られる。
【０００８】
【発明の実施の形態】
本発明の請求項１に記載の発明は、加熱コイルと、前記加熱コイルに高周波電流を供給するインバータ回路と、前記インバータ回路を冷却する冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を低減するとともに前記インバータ回路の最大出力を低減する誘導加熱調理器としたものであり、インバータ回路の最大出力を低減することによって、冷却ファンの回転数が低減した場合にもインバータ回路を耐熱温度以下で動作させることができるため、機器の信頼性を損なうことなく低騒音化を図ることができる。
【０００９】
請求項２に記載の発明は、加熱コイルと、前記加熱コイルに高周波電流を供給するインバータ回路と、前記インバータ回路の出力をＮ（整数）段階に設定する出力設定スイッチと、前記インバータ回路を冷却する冷却ファンと、前記冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を低減するとともに前記出力設定スイッチで設定できる最大レベルを低減する誘導加熱調理器としたものであり、出力設定の最大レベルを低減することによって、冷却ファンの回転数が低減した場合にもインバータ回路を耐熱温度以下で動作させることができるため、機器の信頼性を損なうことなく低騒音化を図ることができ、かつ使用者が出力設定の最大レベルの変更を容易に認識することができる。
【００１０】
請求項３に記載の発明は、加熱コイルと、前記加熱コイルに高周波電流を供給するインバータ回路と、前記冷却ファンと、冷却ファンの回転数を変更するファン回転数変更スイッチと、前記冷却ファンの回転数と前記インバータ回路の出力を制御する制御装置とを備え、前記制御装置は、前記ファン回転数変更スイッチの入力信号に応じて前記冷却ファンの回転数を所定時間低減する誘導加熱調理器としたものであり、インバータ回路の温度が耐熱温度に達する前に冷却ファンの回転数を元に戻すため、短時間調理において高火力を維持した状態でも機器の信頼性を損なうことなく低騒音化を図ることができる。
【００１１】
請求項４に記載の発明は、報知手段を備え、前記報知手段は、ファン回転数変更スイッチによる制御装置の動作を報知する請求項１〜３のいずれか１項に記載の誘導加熱調理器としたものであり、ファン回転数変更スイッチによる冷却ファンの回転数の低減を視覚的または聴覚的に認識することができる。
【００１２】
請求項５に記載の発明は、ファン回転数変更スイッチの設定状態を記憶する記憶手段を備えた請求項１〜４のいずれか１項に記載の誘導加熱調理器としたものであり、一度ファン回転数変更スイッチにより冷却ファンの回転数を低減し低騒音化を行うと、次回使用する場合に再度設定することなく低騒音化を行うことができる。
【００１３】
請求項６に記載の発明は、インバータ回路の温度を検知する温度検知手段を備え、制御装置は、前記温度検知手段により検知された温度が所定温度以下で冷却ファンの回転数を低減する請求項１〜５のいずれか１項に記載の誘導加熱調理器としたものであり、制御装置は、インバータ回路の温度が高く冷却ファンの回転数の低減による冷却能力の低下によってインバータ回路の温度が耐熱温度を超えてしまう場合においては冷却ファンの回転数を低減させないため、冷却ファンの回転数の低減によるインバータ回路の熱破壊を抑制することができる。
【００１４】
請求項７に記載の発明は、制御装置は、温度検知手段により検知された温度に応じて冷却ファンの回転数の低減レベルを変更する請求項１〜６のいずれか１項に記載の誘導加熱調理器としたものであり、インバータ回路の温度に応じて必要な回転数で冷却ファンを制御することができ、低温時には更に低速回転で冷却ファンを動作させることができるので、より一層の低騒音化を図ることができる。
【００１５】
【実施例】
以下本発明の実施例について図面に基づいて説明する。
【００１６】
（実施例１）
本発明の第１の実施例について図面１〜３に基づいて説明する。図面１には実施例１に使用される誘導加熱調理器の構成を表すブロック図を示す。図面１において、１１は図示しない鍋に高周波磁界を与えるための加熱コイル、１２は加熱コイル１１に高周波電流を供給するためのインバータ回路、１３はインバータ回路１２等の発熱部を空冷するための冷却ファン、１４は機器の操作を行う操作部、１５は冷却ファン１３の回転数を変更するファン回転数変更スイッチで、操作部１４を構成する要素の１つである。１６は機器の動作を制御するとともにファン回転数変更スイッチ１５の入力信号に応じて冷却ファン１３の回転数とインバータ回路１２の出力を制御する制御装置、１７はインバータ回路１２の温度を検知する温度検知手段、１８はファン回転数変更スイッチ１５の設定状態を記憶するマイクロコンピュータ等の記憶手段である。
【００１７】
また、図面２には操作部１４の構成を示す。１５はファン回転数変更スイッチ、２１は加熱を開始または終了させる加熱スイッチ、２２はインバータ回路１２の出力を４段階に設定する出力設定スイッチ、２３は全出力設定を表示した設定表示部、２４は使用中の出力を表示する出力表示部、２５は冷却ファン１３が低速回転であることを表示する低速回転表示部である。図面３は各出力設定でのインバータ回路１２の到達温度を表すグラフである。グラフ内に記されたＲ１、Ｒ２（Ｒ１＞Ｒ２）は冷却ファン１３の回転数を表す。また１、２、３、４はインバータ回路１２の出力設定を表し、入力電力は順にＰ１、Ｐ２、Ｐ３、Ｐ４（Ｐ１＜Ｐ２＜Ｐ３＜Ｐ４）である。
【００１８】
以下、本実施例の動作について説明する。今、誘導加熱調理器は出力設定「４」で加熱、冷却ファン１３はＲ１で回転している。このときインバータ回路１２の温度は図面３に示すように耐熱温度以下のｔ１である。使用者がファン回転数変更スイッチ１５を操作すると、所定の信号が制御装置１６に送られる。この信号を受けて、制御装置１６は冷却ファン１３に供給される電圧を所定の値まで低減し、冷却ファン１３の回転数をＲ１からＲ２に低減させる。このときインバータ回路１２の出力がＰ４のままでは、図面３に示すようにインバータ回路１２の温度はｔ２となり耐熱温度を超えてしまうので、制御装置１６は、インバータ回路１２の最大出力をＰ４からＰ５に低減させることにより、図面３に示すように再びインバータ回路１２の温度をｔ１に抑える。
【００１９】
またファン回転数変更スイッチ１５が設定され冷却ファン１３の回転数が低減された場合には、図面２に示すように低速回転表示部２５を点灯させ、報知する。
【００２０】
また、マイクロコンピュータ１８にファン回転数変更スイッチ１５の設定状態を記憶させるようにし、更に電源電圧が零になってもリセットされないように、図示しない電源回路を設ける。
【００２１】
また、温度検知手段１７はインバータ回路１２の検知温度情報を制御装置１６にフィードバックしているため、制御装置１６は、この情報を受けて予め設定されている温度範囲と対比し、所定温度以上ではファン回転数変更スイッチ１５の設定を受け付けないため、冷却ファン１３の回転数を低減することはできない。
【００２２】
また、制御装置１６は、温度検知手段１７からの温度情報を受けて予め設定されている温度範囲と対比して、冷却ファン１３に供給する電圧を制御する。つまりインバータ回路１２の温度が低い場合には、冷却ファン１３に供給する電圧を低くして冷却ファン１３の回転数を低減させる。逆に温度検知手段１７からの検知温度が高い場合には、制御装置１６は、冷却ファン１３に供給する電圧を高くして冷却ファン１３の回転数を増大させる。
【００２３】
以上本実施例１によれば、ファン回転数変更スイッチ１５の入力信号により冷却ファン１３の回転数を低減し、インバータ回路１２の最大出力を低減することによって冷却ファン１３の回転数が低減した場合にもインバータ回路１２を耐熱温度以下で動作させることができるので、機器の信頼性を損なうことなく低騒音化を図ることができる。
【００２４】
また、ファン回転数変更スイッチ１５が設定された場合には低速回転表示部２５が点灯するので、回転数の低減を視覚的に認識できる。
【００２５】
また、記憶手段１８によりファン回転数変更スイッチ１５の設定を記憶するので、一度ファン回転数変更スイッチ１５を設定し低騒音化すると、次回使用する場合に再度設定することなく低騒音化を行うことができる。
【００２６】
また、インバータ回路１２の温度が高く冷却ファン１３の回転数の低減による冷却能力の低下によってインバータ回路１２の温度が耐熱温度を超えてしまう場合は冷却ファン１３の回転数を低減させないので、インバータ回路１２の熱破壊を抑制することができる。
【００２７】
また、インバータ回路１２の温度に応じて必要な回転数で冷却ファン１３を制御するので、インバータ回路１２が低温時には冷却ファン１３を更に低速回転させ、より一層の低騒音化を図ることができる。
【００２８】
更に、冷却ファン１３の回転数を低く抑えた場合には、その消費電力を抑えることができ、かつその状態においては誘導加熱調理器内部の熱を必要以上に外部に逃がさないことから、装置の熱効率が高くなるという省エネ効果もある。
【００２９】
なお、実施例１において電圧の大きさを制御することによって冷却ファン１３の回転数を制御しているが、電圧の印加時間を制御することによって冷却ファン１３の回転数を制御しても同様の効果が得られるのは言うまでもない。
【００３０】
また、実施例１において図示しない電源回路を設けることによりマイクロコンピュータ１８がリセットされないようにしているが、ＥＥＰＲＯＭ等の不揮発性メモリを用いても同様の効果が得られるのは言うまでもない。
【００３１】
また、実施例１において出力設定を４段階と設定しているが、これ以外の場合も同様の効果が得られるのは言うまでもない。
【００３２】
（実施例２）
次に本発明の第２の実施例について説明する。前記実施例と同様の構成については、同一図面を使用して以下の説明を省略する。今、誘導加熱調理器は出力設定「４」で加熱、冷却ファン１３はＲ１で回転している。このときインバータ回路１２の温度は図面３に示すように耐熱温度以下のｔ１である。使用者がファン回転数変更スイッチ１５を操作すると、所定の信号が制御装置１６に送られる。この信号を受けて、制御装置１６は冷却ファン１３に供給される電圧を所定の値まで低減し、冷却ファン１３の回転数をＲ１からＲ２に低減させる。このときインバータ回路１２の出力がＰ４のままでは、図面３に示すようにインバータ回路１２の温度はｔ２となり耐熱温度を超えてしまうので、制御装置１６は、使用可能な出力設定の最大レベルを「３」に低減することにより、図面３に示すようにインバータ回路１２の温度を耐熱温度以下のｔ３に抑える。
【００３３】
また、出力設定の最大レベルが「３」に低減されると、出力設定スイッチ２２によって設定を「４」に変更することは不可能になる。
【００３４】
以上本実施例２によれば、ファン回転数変更スイッチ１５の入力信号により冷却ファン１３の回転数を低減し、出力設定の最大レベルを低減することによって、冷却ファン１３の回転数が低減した場合にもインバータ回路１２を耐熱温度以下で動作させることができるため、機器の信頼性を損なうことなく低騒音化を図ることができ、かつ使用者が出力設定の最大レベルの変更を容易に認識することができる。
【００３５】
なお、実施例２において電圧の大きさを制御することによって冷却ファン１３の回転数を制御しているが、電圧の印加時間を制御することによって冷却ファン１３の回転数を制御しても同様の効果が得られるのは言うまでもない。
【００３６】
また、実施例２において出力設定を４段階と設定し、ファン回転数変更スイッチ１５を操作し冷却ファン１３の回転数が低減された場合には出力設定の最大レベルを１段階下の設定「３」に低減しているが、これ以外の場合も同様の効果が得られるのは言うまでもない。
【００３７】
（実施例３）
次に本発明の第３の実施例について図面４に基づいて説明する。前記実施例と同様の構成については、同一図面を使用して以下の説明を省略する。図面４は所定時間経過後のインバータ回路１２の到達温度を表すグラフである。
【００３８】
以下、本実施例の動作について説明する。今、誘導加熱調理器は出力設定「４」で加熱、冷却ファン１３はＲ１で回転している。使用者がファン回転数変更スイッチ１５を操作すると、所定の信号が制御装置１６に送られる。この信号を受けて、制御装置１６は冷却ファン１３に供給される電圧を所定の値まで低減し、冷却ファン１３の回転数をＲ１からＲ２に低減させる。
【００３９】
しかし、インバータ回路１２の出力設定は変わらないので、所定時間Ｔ１が経過すると図面４に示すようにインバータ回路１２の温度は耐熱温度を超えてしまう。そこで制御装置１６は、温度検知手段１７からのインバータ回路１２の検知温度情報を受け、図面４に示すようにインバータ回路１２の温度がｔ１に達する時間Ｔ２で冷却ファン１３の回転数をＲ１に戻すことにより、インバータ回路１２の温度を耐熱温度以下に抑える。
【００４０】
以上本実施例３によれば、ファン回転数変更スイッチ１５の入力信号により冷却ファン１３の回転数を低減し、インバータ回路１２の温度が耐熱温度に達する前に冷却ファン１３の回転数を元に戻すので、短時間調理において高火力を維持した状態でも機器の信頼性を損なうことなく低騒音化を図ることができる。
【００４１】
なお、実施例３において電圧の大きさを制御することによって冷却ファン１３の回転数を制御しているが、電圧の印加時間を制御することによって冷却ファン１３の回転数を制御しても同様の効果が得られるのは言うまでもない。
【００４２】
【発明の効果】
以上のように、本発明によって、ファン回転数変更スイッチの入力信号により冷却ファンの回転数を低減し、インバータ回路の最大出力を低減することによって冷却ファンの回転数が低減した場合にもインバータ回路を耐熱温度以下で動作させることができるので、機器の信頼性を損なうことなく低騒音化を図ることができる。
【図面の簡単な説明】
【図１】本発明の実施例１における誘導加熱調理器の構成を表すブロック図
【図２】本発明の実施例１おける操作部の構成図
【図３】本発明の実施例１における誘導加熱調理器の諸関係を表すグラフ
【図４】本発明の実施例３における誘導加熱調理器の諸関係を表すグラフ
【図５】従来の誘導加熱調理器の構成を表すブロック図
【符号の説明】
１５　ファン回転数変更スイッチ
１６　制御装置
【図１】
2004111088.tif 000003
【図２】
2004111088.tif 000004
【図３】
2004111088.tif 000005
【図４】
2004111088.tif 000006
【図５】
2004111088.tif 000007